(57)【要約】【課題】信憑性がより高い点検値を得ることができる携帯端末装置を提供する。【解決手段】入力部１１により取得された設備機器の点検値に、バーコードリーダ１３により取得された設備機器に貼付されたバーコードから読み取った設備情報と、ＧＰＳ処理部１４により取得されたその設備情報を取得したときにＧＰＳ信号から取得した位置情報とを対応付けて記憶部１７に記憶させる。これにより、点検値を取得した設備機器とその点検値を取得した時の位置の裏付けをとることができるので、結果として、信憑性の高い点検値を取得することができる。【選択図】  図１
2013207492.tif 000002
【特許請求の範囲】
【請求項１】
設備機器から当該設備機器を識別するための設備情報を取得する設備情報取得部と、
この設備情報取得部により前記設備情報が取得されると、現在地点の位置情報を取得する位置情報取得部と、
前記設備機器から読み取られた点検値を取得する点検値取得部と、
前記設備情報取得部により取得された前記設備情報と、この設備情報が取得されたときに前記位置情報取得部により取得された前記位置情報と、前記点検値取得部により取得された点検値とを対応付けて記憶する第１の記憶部と
を備えることを特徴とする携帯端末装置。
【請求項２】
位置情報と設備情報とを対応付けて予め記憶する第２の記憶部と、
前記位置情報取得部により取得された位置情報と、前記設備情報取得部により取得され設備情報とが、前記第２の記憶部に対応付けて記憶されているか否かを判定する判定部と
をさらに備え、
前記第１の記憶部は、前記判定部の判定結果に基づいて、前記記憶情報、前記位置情報および前記点検値を対応付けて記憶する
ことを特徴とする請求項１記載の携帯端末装置。
【発明の詳細な説明】
【技術分野】
【０００１】
本発明は、携帯端末装置に関し、特に、設備機器の保守点検作業に用いられる携帯端末装置に関するものである。
【背景技術】
【０００２】
発電所や製造工場などの大規模なプラント、水道、電気、ガスなどの公共公益設備等においては、設備機器の点検や計器の検針などの保守点検作業が行われている。従来より、この保守点検作業は、作業員が作業を行うべき設備機器まで出向き、この設備機器の状態や計器の値などの点検値を読み取り、この点検値を携帯端末装置に記憶させることにより行われている（例えば、特許文献１参照。）。
【先行技術文献】
【特許文献】
【０００３】
【特許文献１】特許第４６２００３０号公報
【発明の概要】
【発明が解決しようとする課題】
【０００４】
しかしながら、設備機器から読み取った点検値を作業員の操作入力により携帯端末装置に入力しているので、本当にその設備から読み取った点検値であることを証明することが困難であり、結果として、その点検値の信憑性が低下してしまうおそれがあった。
【０００５】
そこで、本発明は、信憑性がより高い点検値を得ることができる携帯端末装置を提供することを目的とする。
【課題を解決するための手段】
【０００６】
上述したような課題を解決するために、本発明に係る携帯端末装置は、設備機器から当該設備機器を識別するための設備情報を取得する設備情報取得部と、この設備情報取得部により設備情報が取得されると、現在地点の位置情報を取得する位置情報取得部と、設備機器から読み取られた点検値を取得する点検値取得部と、設備情報取得部により取得された設備情報と、この設備情報が取得されたときに位置情報取得部により取得された位置情報と、点検値取得部により取得された点検値とを対応付けて記憶する第１の記憶部とを備えることを特徴とするものである。
【０００７】
上記携帯端末装置において、位置情報と設備情報とを対応付けて予め記憶する第２の記憶部と、位置情報取得部により取得された位置情報と、設備情報取得部により取得され設備情報とが、第２の記憶部に対応付けて記憶されているか否かを判定する判定部とをさらに備え、第１の記憶部は、判定部の判定結果に基づいて、記憶情報、位置情報および点検値を対応付けて記憶するようにしてもよい。
【発明の効果】
【０００８】
本発明によれば、点検値に設備情報および位置情報を対応付けることにより、点検値を取得した設備機器とその点検値を取得した時の位置の裏付けをとることができるので、信憑性がより高い点検値を得ることができる。
【図面の簡単な説明】
【０００９】
【図１】図１は、本発明の第１の実施の形態に係る携帯端末装置の構成を示すブロック図である。
【図２】図２は、図１の携帯端末装置の動作を示すフローチャートである。
【図３】図３は、本発明の第２の実施の形態に係る携帯端末装置の構成を示すブロック図である。
【図４】図４は、図３の携帯端末装置の動作を示すフローチャートである。
【発明を実施するための形態】
【００１０】
［第１の実施の形態］
以下、図面を参照して、本発明の第１の実施の形態について詳細に説明する。
【００１１】
＜携帯端末装置の構成＞
図１に示すように、本実施の形態に係る携帯端末装置１は、例えば、ＰＤＡ（Personal Digital Assistance）、ＰＣ（Personal Computer）、携帯電話機など持ち運び可能な端末装置からなり、ＣＰＵ（Central Processing Unit）等の演算装置と、メモリ、ＨＤＤ（Hard Disc Drive）等の記憶装置と、キーボード、マウス、ポインティングデバイス、ボタン、タッチパネル等の外部から情報の入力を検出する入力装置と、外部との情報の送受を行うＩ／Ｆ（Interface）装置と、カメラや赤外線センサなどの外部から情報を取得する装置と、ＬＣＤ(Liquid Crystal Display)や有機ＥＬ(Electro Luminescence)等の表示装置とを備えたコンピュータから構成されている。このような携帯端末装置１は、そのコンピュータにインストールされたプログラムにより上述したようなハードウェア資源が制御されて、ハードウェア装置とソフトウェアが協働することにより、上述した入力部１１、表示部１２、バーコードリーダ１３、ＧＰＳ処理部１４、計時部１５、制御部１６、記憶部１７および出力部１８が実現される。
【００１２】
入力部１１は、ユーザの操作入力を検出するインターフェース回路である。このような入力部１１は、点検値取得部として機能する。
【００１３】
表示部１２は、制御部１６の指示に基づいて携帯端末装置１の表示画面に各種情報を表示させる表示制御回路である。
【００１４】
バーコードリーダ１３は、制御部１６の指示に基づいて、携帯端末装置１のカメラにより撮像されたバーコードの画像データからそのバーコードに登録された情報を読み取る演算回路である。このようなバーコードリーダ１３は、設備情報取得部として機能する。
【００１５】
ＧＰＳ処理部１４は、制御部１６の指示に基づいてＧＰＳ衛星からの信号を受信し、この受信した信号から携帯端末装置１の現在位置の情報（以下、「位置情報」と言う。）を生成する演算回路である。このようなＧＰＳ処理部１４は、位置情報取得部として機能する。
【００１６】
計時部１５は、携帯端末装置１が備える水晶振動子や受信する標準電波に基づいて現在時刻の情報（以下、「時間情報」と言う。）を生成する演算回路である。
【００１７】
制御部１６は、携帯端末装置１全体の動作を制御する演算回路である。このような制御部１６は、携帯端末装置１の各構成要素との間で各種情報や振動の入出力を行うことにより携帯端末装置１の各種動作を実現する動作制御部１６１と、各種情報を対応付けて記憶部１７に記憶させる登録部１６２とを備えている。
【００１８】
記憶部１７は、携帯端末装置１の各種動作を実現するための各種情報を記憶するメモリ回路である。このような記憶部１７には、各設備機器に対して行うべき保守点検作業の項目、その保守点検作業の内容、この内容の保守点検等を行うときに読み取るべきバーコードが貼付された位置などに関する情報（以下、「点検項目」と言う。）を予め記憶した点検項目記憶部１７１と、入力部１１、バーコードリーダ１３、ＧＰＳ処理部１４および計時部１５により取得された情報を対応付けて記憶する点検値記憶部１７２とが含まれる。ここで、点検値記憶部１７２は第１の記憶部として機能する。
【００１９】
出力部１８は、記憶部１７に記憶された情報を出力するインターフェース回路である。この出力部１８から出力された情報は、携帯端末装置１の表示画面に表示されたり、通信回線を介して外部に送信されたり、記憶媒体に記憶されたりすることとなる。
【００２０】
＜携帯端末装置の動作＞
次に、図２を参照して、本実施の形態に係る携帯端末装置１の動作について説明する。なお、保守点検作業が行われる設備機器には、識別番号や製品番号などその設備機器を識別するための情報（以下、「設備情報」と言う。）を示すバーコードが予め貼付されている。このバーコードは、点検項目で特定される位置に貼付されている。
【００２１】
まず、携帯端末装置１が初めて起動されたり電源が投入されたりすると、制御部１６の動作制御部１６１は、ユーザの名前や社員番号などの識別情報（以下、「ユーザ情報」と言う。）の入力を要求するメッセージを表示画面に表示させる。このメッセージが表示された後、ユーザ情報を入力する操作入力を検出すると、入力部１１は、そのユーザ情報を制御部１６に出力する（ステップＳ１１）。ユーザ情報が入力されると、制御部１６の登録部１６２は、そのユーザ情報をメモリに登録する。なお、このようなユーザ情報の登録は、設備機器の保守点検作業を行う前に予め行われる。
【００２２】
次に、ユーザは、保守点検作業を行う設備機器が配設されている場所まで移動すると、その設備機器の保守点検作業を行う旨の操作入力を携帯端末装置１に対して行う。この操作入力が入力部１１により検出されると、制御部１６の動作制御部１６１は、記憶部１７の点検項目記憶部１７１からその設備機器の点検項目を抽出して表示画面に表示させる。このとき、点検項目が複数ある場合、この複数の点検項目が表示画面に表示される。表示画面に点検項目を表示した後、１つの点検項目が選択されると、動作制御部１６１は、その点検項目の内容を点検項目記憶部１７１から抽出し、表示画面に表示させる（ステップＳ１２）。これにより、ユーザは、保守点検作業を行う設備機器の部品や計器、カメラにより撮像すべきバーコードが貼付された位置、入力すべき点検内容や検針結果などの点検値等を確認することができる。
【００２３】
点検項目の内容が表示された後、バーコードが撮像されて画像データが生成されると、バーコードリーダ１３は、その画像データからバーコードに登録された設備情報を取得する（ステップＳ１３）。
また、バーコードリーダ１３によりバーコードの読み取りが行われると、ＧＰＳ処理部１４は、ＧＰＳ衛星から信号を受信し、この受信した信号から携帯端末装置１の位置情報を取得する（ステップＳ１４）。
取得された設備情報および位置情報は、制御部１６に出力される。
【００２４】
設備情報および位置情報が取得されると、動作制御部１６１は、例えば、点検値の入力を要求する旨のメッセージを表示画面に表示させる。この表示が行われた後、点検値の操作入力を検出すると、入力部１１は、その点検値を制御部１６に出力する（ステップＳ１５）。
【００２５】
点検値が入力されると、制御部１６の登録部１６２は、計時部１５により点検値が入力された時刻に関する時間情報を取得し、この時間情報と、バーコードリーダ１３から取得した設備情報と、ＧＰＳ処理部１４から取得した位置情報と、予めメモリに登録しておいたユーザ情報と、入力部１１から取得した点検値とを対応付けて記憶部１７に記憶させる（ステップＳ１６）。これにより、記憶部１７には、点検値が、時間情報、設備情報、位置情報およびユーザ情報と対応付けられた状態で記憶されることとなる。
【００２６】
点検値等が記憶部１７に記憶されると、出力部１８は、その記憶部１７に記憶された情報を出力する（ステップＳ１７）。例えば、ユーザが、保守点検作業が行われた設備機器を集中管理する管理サーバなどにネットワークを介してアクセスしたり、携帯端末装置１を管理サーバに直接接続したりすると、出力部１８は、記憶部１７に記憶された点検値等を管理サーバに出力する。これにより、管理サーバでは、その設備機器の状態を監視することが可能となる。
【００２７】
以上説明したように、本実施の形態によれば、設備機器から取得された点検値に、その設備機器に貼付されたバーコードから読み取った設備情報と、この設備情報を取得したときにＧＰＳ信号から取得した位置情報とを対応付けるので、点検値を取得した設備機器とその点検値を取得した時の位置の裏付けをとることができるので、結果として、信憑性の高い点検値を取得することができる。
【００２８】
また、本実施の形態によれば、点検値にさらに時間情報も対応付けられるので、その点検値が取得された時間も特定することが可能となるので、得られた点検値は信憑性の高いものとなる。
【００２９】
［第２の実施の形態］
次に、本発明に係る第２の実施の形態について説明する。なお、本実施の形態において、上述した第１の実施の形態と同等の構成要素については同じ名称および符合を付して、適宜説明を省略する。
【００３０】
＜携帯端末装置の構成＞
図３に示すように、本実施の形態に係る携帯端末装置２は、入力部１１と、表示部１２と、バーコードリーダ１３と、ＧＰＳ処理部１４と、計時部１５と、制御部１６と、記憶部１７と、出力部１８とを備えている。
【００３１】
ここで、制御部１６は、動作制御部１６１および登録部１６２とともに、判定部１６３を備えている。この判定部１６３は、バーコードリーダ１３により取得された設備情報とＧＰＳ処理部１４により取得された位置情報とが、記憶部１７に対応付けて記憶されているか否かを判定する。
【００３２】
記憶部１７は、点検項目記憶部１７１と、点検値記憶部１７２とともに、事前情報記憶部１７３とが含まれている。事前情報記憶部１７３は、点検項目と、この点検項目に基づいて保守点検作業が行われる設備機器の設備情報と、その設備機器が配設された位置に関する位置情報とを対応付けて予め記憶しておく記憶回路である。このような事前情報記憶部１７３は第２の記憶部として機能する。
【００３３】
＜携帯端末装置の動作＞
次に、図４を参照して、本実施の形態に係る携帯端末装置２の動作について説明する。なお、以下において、図２を参照して説明した第１の実施の形態と同等の動作については、同じ符合を付して適宜説明を省略する。
【００３４】
まず、上述したステップＳ１１〜Ｓ１３の処理が行われ、点検項目が選択された後に設備情報が制御部１６に入力されると、制御部１６の判定部１６３は、入力された設備情報と、選択された点検項目に対応付けられた設備情報とが一致するか否かを判定する（ステップＳ２１）。ここで、選択された点検項目に対応付けられた設備情報は、事前情報記憶部１７３から取得される。
【００３５】
入力された設備情報と、事前情報記憶部１７３に記憶された設備情報とが一致しない場合（ステップＳ２１：ＮＯ）、制御部１６は、表示部１２により携帯端末装置２の表示画面にエラーメッセージを表示させる（ステップＳ２３）。
【００３６】
一方、入力された設備情報と、事前情報記憶部１７３に記憶された設備情報とが一致する場合（ステップＳ２１：ＹＥＳ）、ＧＰＳ処理部１４は、携帯端末装置２の位置情報を取得し、制御部１６に入力する（ステップＳ１４）。
【００３７】
位置情報が入力されると、制御部１６の判定部１６３は、ＧＰＳ処理部１４から入力された位置情報と、選択された点検項目に対応付けられた位置情報とが一致するか否かを判定する（ステップＳ２２）。ここで、選択された点検項目に対応付けられた位置情報は、事前情報記憶部１７３から取得される。
【００３８】
入力された位置情報と、事前情報記憶部１７３に記憶された位置情報とが一致しない場合（ステップＳ２２：ＮＯ）、制御部１６は、表示部１２により携帯端末装置２の表示画面にエラーメッセージを表示させる（ステップＳ２３）。
【００３９】
一方、入力された位置情報と、事前情報記憶部１７３に記憶された位置情報とが一致しする場合（ステップＳ２２：ＹＥＳ）、動作制御部１６１は、上述したステップＳ１５〜Ｓ１６の処理を行う。
【００４０】
このように、本実施の形態によれば、取得した位置情報および設備情報とが事前情報記憶部１７３に予め記憶された位置情報および設備情報と一致するか否か判定し、することにより点検値を取得した設備機器とその点検値を取得した時の位置を確認することができるので、より信憑性の高い点検値を取得することができる。
【００４１】
なお、上述した第１，第２の実施の形態において、バーコードリーダ１３を用いた場合を例に説明したが、実際の設備機器近傍からこの設備機器の設備情報を取得可能な装置であるならば設備情報を取得するための構成はバーコードリーダ１３に限定されず、各種構成を適宜自由に用いることができる。例えば、設備機器にＩＣタグを取り付け、このＩＣタグを読み取るリーダ装置をバーコードリーダ１３の代わりに用いるようにしてもよい。
【００４２】
また、上述した第１，第２の実施の形態において、ＧＰＳ処理部１４を用いた場合を例に説明したが、正確な位置情報を取得可能であるならば、位置情報を取得するための構成はＧＰＳ処理部１４に限定されず各種構成を適宜自由に用いることができる。例えば、携帯端末装置を公衆電話網や携帯電話網などのネットワークに接続し、このネットワーク上の位置に基づいて位置情報を取得するようにしてもよい。
【産業上の利用可能性】
【００４３】
本発明は、ライフラインやプラントに設けられた設備機器の保守点検や検針を行うための携帯端末装置に適用することができる。
【符号の説明】
【００４４】
１，２…携帯端末装置、１１…入力部、１２…表示部、１３…バーコードリーダ、１４…ＧＰＳ処理部、１５…計時部、１６…制御部、１７…記憶部、１８…出力部、１７１…点検項目記憶部、１７２…点検値記憶部、１７３…事前情報記憶部。
【図１】
2013207492.tif 000003
【図２】
2013207492.tif 000004
【図３】
2013207492.tif 000005
【図４】
2013207492.tif 000006